(57)【要約】【課題】物品を収容した収容室内において、蒸気等により高温で物品の殺菌等を行う際において、床からの水漏れを確実に防ぐことができる断熱構造体および断熱構造体の製造方法を提供する。【解決手段】水平断熱構成部材１ａ，１ｂと垂直断熱構成部材２とを連結して内部に空間収容室ｂを形成させる断熱構成体Ａにあって、空間収容室の床部における、水平断熱構成部材と垂直断熱構成部材との結合内隅部において隅枠体３を設け、水平断熱構成部材による床面と隅枠体面とに被覆層４を設けると共に、隅枠体を被覆層の上部より押さえる押さえ部材５を設ける。【選択図】    図１
2005232718.tif 000002
【特許請求の範囲】
【請求項１】
水平断熱構成部材と垂直断熱構成部材とを連結して内部に空間収容室を形成させる断熱構成体にあって、
前記空間収容室の床部における、前記水平断熱構成部材と前記垂直断熱構成部材との結合内隅部において設けた隅枠体と、前記水平断熱構成部材による床面と前記隅枠体面とに設けた被覆層と、前記隅枠体を前記被覆層の上部より押さえる押さえ部材とを備えさせたことを特徴とする断熱構造体。
【請求項２】
隅枠体は、下端部が水平断熱構成部材上面に当接し、背面部が垂直断熱構成部材内面に当接する立ち上がり部材と、この立ち上がり部材の上端部より延設してあって、空間収容室の床部における前記水平断熱構成部材上面へ向かって傾斜状に設けた受け部材とを有し、
この受け部材は、その上面を、下方へ凹む円弧状に形成させたことを特徴とする請求項１記載の断熱構造体。
【請求項３】
水平断熱構成部材と垂直断熱構成部材とを連結して内部に空間収容室を形成させる断熱構成体にあって、
前記空間収容室の床部における、前記水平断熱構成部材と前記垂直断熱構成部材との結合内隅部に該結合内隅部を覆うように隅枠体を設けて、
前記水平断熱構成部材による床面と前記隅枠体面とに水漏れ防止用の被覆層を形成させた後、前記隅枠体を前記被覆層の上部より前記垂直断熱構成部材側へ向かって押さえ部材により押さえたことを特徴とする断熱構造体の製造方法。
【請求項４】
水平断熱構成部材と垂直断熱構成部材とを連結して内部に空間収容室を形成させる断熱構成体にあって、
前記空間収容室の床部において、前記水平断熱構成部材の側端部に、その内側面が、立設される前記垂直断熱構成部材の内側面位置する仮当て部材を連結し、
前記水平断熱構成部材の側端部と前記仮当て部材との結合内隅部に該結合内隅部を覆うように隅枠体を設けて、
前記水平断熱構成部材による床面と前記隅枠体面とに水漏れ防止用の被覆層を形成させた後、
前記仮当て部材を前記水平断熱構成部材との結合を解除して、該水平断熱構成部材の側端部に前記垂直断熱構成部材を連結させ、
前記隅枠体を前記被覆層の上部より前記垂直断熱構成部材側へ向かって押さえ部材により押さえたことを特徴とする断熱構造体の製造方法。
【請求項５】
水平断熱構成部材と垂直断熱構成部材とを連結して内部に空間収容室を形成させる断熱構成体にあって、
前記空間収容室の床部において、前記水平断熱構成部材の側端部に、前記垂直断熱構成部材より背丈の低い副垂直断熱構成部材を連結し、
前記水平断熱構成部材の側端部と前記副垂直断熱構成部材との結合内隅部に該結合内隅部を覆うように隅枠体を設けて、
前記水平断熱構成部材による床面と前記隅枠体面とに水漏れ防止用の被覆層を形成させた後、前記隅枠体を前記被覆層の上部より前記垂直断熱構成部材側へ向かって押さえ部材により押さえ、
前記副垂直断熱構成部材の上端部に前記垂直断熱構成部材を連結させたことを特徴とする断熱構造体の製造方法。
【発明の詳細な説明】
【技術分野】
【０００１】
本発明は、物品を収容した収容室内において、蒸気等により高温で物品の殺菌等を行う際において、床からの水漏れを確実に防ぐことがことができる断熱構造体および断熱構造体の製造方法に関する。
【背景技術】
【０００２】
従来、例えば、物品を収容する収容室において、該物品を蒸気等により高温で殺菌等を行う際には、所定形状に形成された断熱パネルの端部を接合し構築された収容室が用いられる。
前記断熱パネルの接合部には、水漏れを生じさせないように、防水処理が施されている。
【０００３】
例えば、図９に示すように、断熱パネル６０，６１あるいは６１，６２の端部は、その間にコーキング剤６３を詰めて接続した後、床の場合は、断熱パネル６０，６１の端部における目地を、フラットバー６４を当てて、リベット６５により止め付けていた。
また、断熱パネル６１，６２によって構成される内隅部は、その隙間にコーキング剤６３を詰めて水漏れの対策を行っていた。
【０００４】
しかしながら、床の水漏れ対策にあって、パネル目地にフラットバー６４で止める際に、床に取付孔をあけるため、この取付孔にコーキング剤６３を付けて行っても、経年変化によりこの取付孔から水漏れを生じてしまう問題点があった。
【発明の開示】
【発明が解決しようとする課題】
【０００５】
本発明は、前記した問題点を解決するためになされたもので、水平断熱構成部材と垂直断熱構成部材とを連結して内部に空間収容室を形成させる断熱構成体にあって、空間収容室の床部における、水平断熱構成部材と垂直断熱構成部材との結合内隅部において隅枠体を設け、水平断熱構成部材による床面と隅枠体面とに被覆層を設けると共に、隅枠体を被覆層の上部より押さえる押さえ部材を設けることにより、物品を収容した収容室内において、蒸気等により高温で物品の殺菌等を行う際において、床からの水漏れを確実に防ぐことができる断熱構造体および断熱構造体の製造方法を提供することを目的としている。
【課題を解決するための手段】
【０００６】
前記した目的を達成するための本発明の手段は、
水平断熱構成部材と垂直断熱構成部材とを連結して内部に空間収容室を形成させる断熱構成体にあって、
前記空間収容室の床部における、前記水平断熱構成部材と前記垂直断熱構成部材との結合内隅部において設けた隅枠体と、前記水平断熱構成部材による床面と前記隅枠体面とに設けた被覆層と、前記隅枠体を前記被覆層の上部より押さえる押さえ部材とを備えさせた断熱構造体の構成にある。
【０００７】
また、隅枠体は、下端部が水平断熱構成部材上面に当接し、背面部が垂直断熱構成部材内面に当接する立ち上がり部材と、この立ち上がり部材の上端部より延設してあって、空間収容室の床部における前記水平断熱構成部材上面へ向かって傾斜状に設けた受け部材とを有し、
この受け部材は、その上面を、下方へ凹む円弧状に形成させる。
【０００８】
そして、
水平断熱構成部材と垂直断熱構成部材とを連結して内部に空間収容室を形成させる断熱構成体にあって、
前記空間収容室の床部における、前記水平断熱構成部材と前記垂直断熱構成部材との結合内隅部に該結合内隅部を覆うように隅枠体を設けて、
前記水平断熱構成部材による床面と前記隅枠体面とに水漏れ防止用の被覆層を形成させた後、前記隅枠体を前記被覆層の上部より前記垂直断熱構成部材側へ向かって押さえ部材により押さえた断熱構造体の製造方法にある。
【０００９】
水平断熱構成部材と垂直断熱構成部材とを連結して内部に空間収容室を形成させる断熱構成体にあって、
前記空間収容室の床部において、前記水平断熱構成部材の側端部に、その内側面が、立設される前記垂直断熱構成部材の内側面位置する仮当て部材を連結し、
前記水平断熱構成部材の側端部と前記仮当て部材との結合内隅部に該結合内隅部を覆うように隅枠体を設けて、
前記水平断熱構成部材による床面と前記隅枠体面とに水漏れ防止用の被覆層を形成させた後、
前記仮当て部材を前記水平断熱構成部材との結合を解除して、該水平断熱構成部材の側端部に前記垂直断熱構成部材を連結させ、
前記隅枠体を前記被覆層の上部より前記垂直断熱構成部材側へ向かって押さえ部材により押さえた断熱構造体の製造方法にある。
【００１０】
また、
水平断熱構成部材と垂直断熱構成部材とを連結して内部に空間収容室を形成させる断熱構成体にあって、
前記空間収容室の床部において、前記水平断熱構成部材の側端部に、前記垂直断熱構成部材より背丈の低い副垂直断熱構成部材を連結し、
前記水平断熱構成部材の側端部と前記副垂直断熱構成部材との結合内隅部に該結合内隅部を覆うように隅枠体を設けて、
前記水平断熱構成部材による床面と前記隅枠体面とに水漏れ防止用の被覆層を形成させた後、前記隅枠体を前記被覆層の上部より前記垂直断熱構成部材側へ向かって押さえ部材により押さえ、
前記副垂直断熱構成部材の上端部に前記垂直断熱構成部材を連結させた断熱構造体の製造方法にある。
【発明の効果】
【００１１】
本発明は、物品を収容した収容室内において、蒸気等により高温で物品の殺菌等を行う際において、床からの水漏れを確実に防ぐことができるもので、その施工も、簡単かつ簡便に行うことができる。
【発明を実施するための最良の形態】
【００１２】
次に、本発明に関する断熱構造体および断熱構造体の製造方法の一実施例を図面に基づいて説明する。
図１〜図２，図４〜図６，図８においてＡは、内部に物品を収容した収容室ｂ内において、蒸気等により高温で前記物品の殺菌処理等を行う断熱構造体であって、水平断熱構成部材１ａ，１ｂと垂直断熱構成部材２とを連結して内部に空間収容室ｂを形成させてある。
【００１３】
そして、空間収容室ｂの床部における、水平断熱構成部材１ａ，１ｂと垂直断熱構成部材２との結合内隅部において設けた隅枠体３と、水平断熱構成部材１ａ，１ｂによる床面と隅枠体３面とに設けた被覆層４と、隅枠体３を被覆層４の上部より押さえる押さえ部材５とにより基本的に構成される。
【００１４】
前記した水平断熱構成部材１ａ，１ｂおよび垂直断熱構成部材２は、鋼板やステンレス，アルミ等による外枠内に、耐熱性や耐寒性を有する断熱材を設けてあるもので、床や天井に配される水平断熱構成部材１ａ，１ｂにあって、水平断熱構成部材１ａは、その両端部を互いに接続して連結されるように、凹状係止部材７と、この凹状係止部材７に噛み合う凸状係止部材８を設けてある。また、水平断熱構成部材１ｂは、その一端部に凹状係止部材７または凸状係止部材８を設け、他端部において、その上面または下面に垂直断熱構成部材２における凸状係止部材８または凹状係止部材７に噛み合う凹状係止部材７または凸状係止部材８を設けてある。
【００１５】
また、水平断熱構成部材１ａ，１ｂと垂直断熱構成部材２との連結にあっては、水平断熱構成部材１ａ，１ｂまたは垂直断熱構成部材２の凹状係止部材７または凸状係止部材８とを一体的に連結するボルトナット等の止着部材１６により行われるもので、各当接部や係合部などにコーキング剤を介在させることもある。
【００１６】
前記した隅枠体３は、図３等に示すように、下端部３ａが水平断熱構成部材１ｂ上面に当接し、背面部３ｂが垂直断熱構成部材２内面に略密着状態で当接する立ち上がり部材３３と、この立ち上がり部材３３の上端部３ｃより延設してあって、空間収容室ｂの床部における水平断熱構成部材１ｂ上面へ向かって傾斜状に設けた受け部材３４とを有する。
【００１７】
この受け部材３４は、その上面を、下方へ凹む円弧状に形成させてあって、垂直断熱構成部材２から等の水分流動を良好に行わせると共に、後記する被覆層４の積層を良好に行わせる。
また、立ち上がり部材３３の上端部３ｃ、すなわち、受け部材３４の垂直断熱構成部材２内面端部と、該受け部材３４の空間収容室ｂ側の内端部３ｄとは、尖鋭に形成させることで、垂直断熱構成部材２内面および水平断熱構成部材１ｂ上面との密着性が良好となると共に、水平断熱構成部材１ｂ上面にあっては、該水平断熱構成部材１ｂ上面と受け部材３４とに被覆層４が隙間なく施される。
【００１８】
前記した被覆層４は、空間収容室ｂ内において床となる水平断熱構成部材１ａ，１ｂの全面および垂直断熱構成部材２の隅枠体３付近の立ち上がり部などに塗布（この塗布手段に限定されない）等の手段により設けられ、空間収容室ｂ内外に対する密封性が得られるもので、これにより、床面などに落下したり溜まった水分は、空間収容室ｂ外部や水平断熱構成部材１ａ，１ｂの連結部への漏出が防止される。
また、その被覆層４における素材は、例えば、耐水性や耐熱性，耐寒性，抗菌性など断熱構造体Ａにとって必要な性状を有する合成樹脂製モルタル、例えば、変性メタクリル系樹脂などが用いられる。
【００１９】
前記した押さえ部材５は、隅枠体３を被覆層４の上部より押さえると共に、垂直断熱構成部材２の内壁から流れる水を隅枠体３側へ流動誘導（水切り作用を）するもので、図３等に示すように、垂直断熱構成部材２内面にその背面が当接する取付片５５と、この取付片５５の下部より空間収容室ｂ側の内方へ延出される連結片５６と、この連結片５６の端部より下方へ垂下させた押さえ片５７とよりなる。
したがって、この押さえ部材５における押さえ片５７の先端部、あるいは該先端部付近により、隅枠体３の受け部材３４上に形成された被覆層４の上から隅枠体３を垂直断熱構成部材２内面側へ押さえ付ける。
なお、この押さえ部材５の垂直断熱構成部材２への取り付けにあっては、図２に示すように、該押さえ部材５の取付片５５に穿設した取付孔５８を介して、垂直断熱構成部材２へスクリュービス等の止着部材１０によりコーキング剤などを介して一箇所または複数箇所において固着する。
【００２０】
なお、本実施例の断熱構造体Ａは、図４に示すように、床である水平断熱構成部材１ａ，１ｂに適所に、好ましくは、水平断熱構成部材１ｂにおいて、垂直断熱構成部材２との接合部近傍に、所定深さで前後または左右の全長にわたって排水溝１１を設け、この排水溝１１の下流側に、外部へ延設させた排水管１２を設けた排水孔１３を設けることで、空間収容室ｂ内に溜まる水を円滑かつ迅速に外部へ排出することができる。この場合、水平断熱構成部材１ａ，１ｂは、排水溝１１側へ向かって、架台１４やレベル調整により傾斜を形成させることで、床面の排水性が向上する。
また、この排水溝１１内には、被覆層４が設けられることで、水平断熱構成部材１ａ，１ｂの内面への水の回り込みが防止される。
【００２１】
したがって、前記のように構成される本発明に係る一実施例の断熱構造体Ａおよび断熱構造体Ａの製造方法は、以下に述べる作用を奏する。
図１に示す実施例にあっては、まず、所定に設置した架台１４上に、図５（ａ）に示すように、複数枚からなる水平断熱構成部材１ａおよび水平断熱構成部材１ｂを並べ設けて、その端部に設けた凹状係止部材７と凸状係止部材８とを、それぞれコーキング剤１５を介して噛み合わせて一連状の床面を形成させる。このとき、床となるその全体の周端部は平滑状となることが好ましく、この場合、当該部位には水平断熱構成部材１ｂを用いる。
【００２２】
そして、水平断熱構成部材１ｂの側端部に垂直断熱構成部材２を立設させて、これら端部に設けた凹状係止部材７と凸状係止部材８とを、それぞれコーキング剤１５を介して噛み合わせ、更に、これら水平断熱構成部材１ｂと垂直断熱構成部材２とをボルト・ナット等の連結部材１６により強固に連結する。
【００２３】
この状態で、図５（ｂ）に示すように、水平断熱構成部材１ｂと垂直断熱構成部材２とにより形成された結合内隅部ｒへ該結合内隅部ｒを覆うように隅枠体３を、その立ち上がり部材３３の背面部３ｂが垂直断熱構成部材２が当たり、下端部３ａが水平断熱構成部材１ｂ上面に当たるように取り付ける。このとき、背面部３ｂには接着剤や両面テープ等の接着部材（図示せず）を設けてもよい。
【００２４】
これら水平断熱構成部材１ａ，１ｂによる床面と隅枠体３における受け部材３４面とへ被覆層４を万遍なく形成させる。その後、隅枠体３を受け部材３４面に設けられた被覆層４の上部より垂直断熱構成部材２側へ向かって押さえるように押さえ部材５を垂直断熱構成部材２の内面へ止着部材１０により取り付ける。
【００２５】
これにより、図１に示すように、水平断熱構成部材１ａ，１ｂと垂直断熱構成部材２とによる床面は、その全面が、被覆層４によって一体状の防水用床が形成され、水平断熱構成部材１ａ，１ｂの接合部や、水平断熱構成部材１ａ，１ｂと垂直断熱構成部材２との接合部において水漏れや気漏れ等を生じさせない。
【００２６】
次に、水平断熱構成部材１ａ，１ｂと垂直断熱構成部材２とを連結して内部に空間収容室ｂを形成させる断熱構成体Ａにあって、前記した実施例において結合内隅部ｒに隅枠体３を取り付ける際に、垂直断熱構成部材２の取り付けに代えて、まず、副垂直断熱構成部材２２を用いる点が前記した実施例と異なる。
【００２７】
この副垂直断熱構成部材２２は、通常用いる垂直断熱構成部材２より背丈が低く形成されたもので、すなわち、垂直断熱構成部材２と同様の性状を有するものであるが、小型で軽量に形成されるため、水平断熱構成部材１ｂとの連結の際の施工性，作業性が大幅に向上する。
【００２８】
特に、該副垂直断熱構成部材２２を用いるメリットとして、断熱構造体Ａの施工において、一日目に水平断熱構成部材１ａ，１ｂにより床を形成させて被覆層４を設け、該被覆層４が安定する二日目に、空間収容部ｂ内に載置するための機材を搬入し、三日目から垂直断熱構成部材２や天井の水平断熱構成部材１ａ，１ｂを組み立てていく工程を経るため、前記機材搬入前に背丈の高い垂直断熱構成部材２を固定的に組み付けてしまうと、この垂直断熱構成部材２が邪魔になって、該機材の搬入が円滑に行えない。
しかし、この背丈の低い副垂直断熱構成部材２２を用いることで、前記機材の搬入が円滑に行える。
【００２９】
水平断熱構成部材１ｂとこの副垂直断熱構成部材２２との連結は、これら端部に設けた凹状係止部材７と凸状係止部材８とを、それぞれコーキング剤１５を介して噛み合わせ、更に、これら水平断熱構成部材１ｂと副垂直断熱構成部材２２とをボルト・ナット等の連結部材１６により強固に締結することでなされる。
また、結合内隅部ｒへ隅枠体３を取り付ける施工工程は、前記実施例と同様に行われるため、詳細な説明はこの実施例を援用し省略する。
【００３０】
なお、結合内隅部ｒへ隅枠体３が取り付けられ、水平断熱構成部材１ａ，１ｂと隅枠体３とへ被覆層４が設けられた後は、図７に示すように、副垂直断熱構成部材２２の上端部へ通常用いる垂直断熱構成部材２が連結されるもので、これら端部に設けた凹状係止部材７と凸状係止部材８とを、それぞれコーキング剤１５を介して噛み合わせ、副垂直断熱構成部材２２と垂直断熱構成部材２との内壁側において、帯金状の接続体１７を当てて、リベット等に固着部材１８により結合する。なお、この固着部材１８付近もコーキング剤１５を介在させることが望ましい。
これにより、図６に示すように、水平断熱構成部材１ａ，１ｂと副垂直断熱構成部材２２とによる床面は、その全面が、被覆層４によって一体状の防水用床が形成され、水平断熱構成部材１ａ，１ｂの接合部や、水平断熱構成部材１ａ，１ｂと副垂直断熱構成部材２２との接合部において水漏れや気漏れ等を生じさせない。
【００３１】
更に、図８に示す実施例は、水平断熱構成部材１ａ，１ｂと垂直断熱構成部材２とを連結して内部に空間収容室ｂを形成させる断熱構成体Ａにあって、隅枠体３を取り付ける際に、垂直断熱構成部材２とによって結合内隅部ｒを形成させることなく、仮当て部材１９によって、仮結合内隅部ｒ１を形成させる工法である。
【００３２】
すなわち、水平断熱構成部材１ａ，１ｂとによって形成された空間収容室ｂの床部において、水平断熱構成部材１ｂの側端部に、その内側面１９ａが、後工程において立設される垂直断熱構成部材２の内側面位置に相当する箇所に、仮当て部材１９を連結することで、隅枠体３を取り付けるための仮結合内隅部ｒ１が形成されるものである。
【００３３】
この仮当て部材１９は、水平断熱構成部材１ｂの側端上部に当接する水平片１９ｂと、この水平片１９ｂの内端部から立ち上がる垂直片１９ｃとを有する。
そして、該仮当て部材１９の水平断熱構成部材１ｂの側端上部への取り付けは、ボルト・ナット等の連結部材１６により強固に連結する。
【００３４】
したがって、図８（ａ）に示すように、水平断熱構成部材１ｂの側端部と固定された仮当て部材１９との結合内隅部（仮結合内隅部ｒ１）に、該結合内隅部を覆うように隅枠体３を設ける。この際に、隅枠体３は接着等により仮当て部材１９に仮止めしてもよい。
そして、水平断熱構成部材１ａ，１ｂによる床面と隅枠体３の受け部材３４面とに水漏れ防止用の被覆層４を形成させる。
【００３５】
その後、仮当て部材１９を、水平断熱構成部材１ｂとの連結部材１６による結合を解除して、図８（ｂ）に示すように、該水平断熱構成部材１ｂの側端部に垂直断熱構成部材２を連結部材１６によって連結させる。
更に、隅枠体３を被覆層３の上部より垂直断熱構成部材２側へ向かって押さえ部材４により押さえれば、本発明実施例の断熱構造体Ａが構築される。
これにより、図８（ｂ）に示すように、水平断熱構成部材１ａ，１ｂと垂直断熱構成部材２とによる床面は、その全面が、被覆層４によって一体状の防水用床が形成され、水平断熱構成部材１ａ，１ｂの接合部や、水平断熱構成部材１ａ，１ｂと垂直断熱構成部材２との接合部において水漏れや気漏れ等を生じさせない。
【図面の簡単な説明】
【００３６】
【図１】本発明に関する断熱構造体の一実施例を示す要部の縦断正面図である。
【図２】図１における断熱構造体の要部を拡大して示す縦断正面図である。
【図３】図１における断熱構造体の隅枠体と押さえ部材を示す斜視図である。
【図４】図１における断熱構造体において排水溝を設けた例を示す要部の縦断正面図である。
【図５】図１における断熱構造体において隅枠体を取り付ける状態を示す縦断正面図である。
【図６】図１における断熱構造体の他の実施例を示す要部の縦断正面図である。
【図７】図６における断熱構造体において垂直断熱構成部材と副垂直断熱構成部材との接続状態を示す縦断正面図である。
【図８】図１における断熱構造体の更に他の実施例を示す要部の縦断正面図である。
【図９】従来の断熱パネル収容室の要部を示す縦断正面図である。
【符号の説明】
【００３７】
Ａ…断熱構造体．ｂ…空間収容室．ｒ…結合内隅部．１ａ，１ｂ…水平断熱構成部材．２…垂直断熱構成部材．２２…副垂直断熱構成部材．３…隅枠体．３３…立ち上がり部材．３４…受け部材．４…被覆層．５…押さえ部材．
【図１】
2005232718.tif 000003
【図２】
2005232718.tif 000004
【図３】
2005232718.tif 000005
【図４】
2005232718.tif 000006
【図５】
2005232718.tif 000007
【図６】
2005232718.tif 000008
【図７】
2005232718.tif 000009
【図８】
2005232718.tif 000010
【図９】
2005232718.tif 000011